(57)【要約】【課題】装着の容易性を高めることを可能とした装着バンドを提供する。【解決手段】下方に凸となる円弧状を有した短辺方向の断面形状を長辺方向に連続させて当該長辺方向が直線方向である第１形状と、直線状を有した短辺方向の断面形状を長辺方向に連続させて当該長辺方向が円周方向である第２形状とに、可逆的に変形可能な板ばね１１と、板ばね１１を被覆して板ばね１１の変形に追従して変形する被覆部１２であって、被覆部１２における長辺方向の一端部に位置して非接触型のＩＣチップ１３を保持するチップ保持部１２ａを有した被覆部１２と、を備える。【選択図】図１
0003218643.tif 000002
【実用新案登録請求の範囲】
【請求項１】
下方に凸となる円弧状を有した短辺方向の断面形状を長辺方向に連続させて当該長辺方向が直線方向である第１形状と、直線状を有した短辺方向の断面形状を長辺方向に連続させて当該長辺方向が円周方向である第２形状とに、可逆的に変形可能な板ばねと、
前記板ばねを被覆して前記板ばねの変形に追従して変形する被覆部であって、前記被覆部における前記長辺方向の一端部に位置して非接触型のＩＣチップを保持するチップ保持部を有した被覆部と、を備える
装着バンド。
【請求項２】
前記チップ保持部は、前記被覆部における前記長辺方向の一端部よりも前記長辺方向の他端部を径方向の内側に配置した前記第２形状において、前記板ばねよりも外側に位置する
請求項１に記載の装着バンド。
【請求項３】
前記チップ保持部は、前記板ばねの前記長辺方向での一端部に支持されている
請求項１または２に記載の装着バンド。
【請求項４】
前記板ばねは、ばね表面とばね裏面とを備え、
前記ばね表面は、前記板ばねが前記第１形状である場合に、前記長辺方向に延在する上に向いた凹曲面であり、
前記チップ保持部は、前記ばね表面上に位置する
請求項１から３のいずれか一項に記載の装着バンド。
【請求項５】
前記被覆部は、被覆表面と被覆裏面とを備え、
前記被覆表面は、前記第２形状を有した前記装着バンドの外周面を構成し、
前記被覆裏面は、前記第２形状を有した前記装着バンドの内周面を構成し、
前記被覆表面は、所定の像を表示する表示部を備える
請求項１から３のいずれか一項に記載の装着バンド。
【考案の詳細な説明】
【技術分野】
【０００１】
本考案は、装着バンドに関する。
【背景技術】
【０００２】
非接触通信を行うＩＣチップが広く用いられている。ＩＣチップを腕に装着するために、ＩＣチップを備えたリストバンドが提案されている。こうしたリストバンドには、例えば、以下の３つの形態が知られている。第１の形態は、閉環した帯状を有している（例えば、特許文献１を参照）。第２の形態は、有端の帯状を有している。バンドには、バンドを腕に装着するために用いられる複数の孔が、バンドが延びる方向に沿って並んでいる（例えば、特許文献２を参照）。第３の形態は、第２の形態と同様、有端の帯状を有している。バンドが延びる方向における各端部には、バンドを腕に装着するための面ファスナーが、１つずつ位置している（例えば、特許文献３を参照）。
【先行技術文献】
【特許文献】
【０００３】
【特許文献１】特許第５９０１４５７号
【特許文献２】特開２０１６−２２４５６９号公報
【特許文献３】特許第３９３９１８４号
【考案の概要】
【考案が解決しようとする課題】
【０００４】
ところで、第１の形態では、バンドの直径が、バンドが腕から抜けない程度の大きさに固定されている。そのため、バンドを腕に取り付ける際に、４本の指を中指に寄せることによって、手のひらの幅を狭める必要がある。第２の形態では、バンド孔を用いてリストバンドを腕に装着する必要がある。また、第３の形態では、一方の面ファスナーを他方の面ファスナーに結合する必要がある。そのため、第２の形態および第３の形態では、一方の手のみによって他方の腕にリストバンドを装着することが難しい。このように、いずれのリストバンドも腕への装着が容易ではないため、装着がより容易なリストバンドが求められている。なお、上述した課題は、リストバンドに限らず、足に装着されるレッグバンドにも該当することであって、人体に装着される装着バンドに共通する。
【０００５】
本考案は、装着の容易性を高めることを可能とした装着バンドを提供することを目的とする。
【課題を解決するための手段】
【０００６】
上記課題を解決するための装着バンドは、下方に凸となる円弧状を有した短辺方向の断面形状を長辺方向に連続させて当該長辺方向が直線方向である第１形状と、直線状を有した短辺方向の断面形状を長辺方向に連続させて当該長辺方向が円周方向である第２形状とに、可逆的に変形可能な板ばねと、前記板ばねを被覆して前記板バネの変形に追従して変形する被覆部であって、前記被覆部における前記長辺方向の一端部に位置して非接触型のＩＣチップを保持するチップ保持部を有した被覆部と、を備える。
【０００７】
上記構成によれば、第１形状の板ばねに荷重が加わることによって、板ばねが第１形状から第２形状に変形し、それによって、装着バンドを使用者の手首や足首に巻き付かせることができる。そのため、装着バンドの装着における容易性を高めることができる。
【０００８】
上記装着バンドにおいて、前記チップ保持部は、前記被覆部における前記長辺方向の一端部よりも前記長辺方向の他端部を径方向の内側に配置した前記第２形状において、前記板ばねよりも外側に位置してもよい。
【０００９】
上記構成によれば、板ばねが金属製であっても、ＩＣチップとリーダーとの非接触通信に用いられる電波が、板ばねによって反射されたり吸収されたりし難い。そのため、ＩＣチップとリーダーとの非接触通信が、環状を有した板ばねによって妨げられない。結果として、ＩＣチップとリーダーとが、データの送受信を良好に行うことができる。
【００１０】
上記装着バンドにおいて、前記チップ保持部は、前記板ばねの前記長辺方向での一端部に支持されてもよい。上記構成によれば、チップ保持部に保持されたＩＣチップが、板ばねによって支持される。そのため、ＩＣチップが板ばねによって支持されない場合と比べて、ＩＣチップに作用した外力が、ＩＣチップ１３を変形させることが抑えられる。
【００１１】
上記装着バンドにおいて、前記板ばねは、ばね表面とばね裏面とを備え、前記ばね表面は、前記板ばねが前記第１形状である場合に、前記長辺方向に延在する上に向いた凹曲面であり、前記チップ保持部は、前記ばね表面上に位置してもよい。
【００１２】
上記構成によれば、板ばねが第１形状である場合に、チップ保持部は、板ばねが有する凹曲面上に位置する。そのため、チップ保持部がばね裏面上に位置する場合と比べて、チップ保持部がＩＣチップを安定に保持することができる。
【００１３】
上記装着バンドにおいて、前記被覆部は、被覆表面と被覆裏面とを備え、前記被覆表面は、前記第２形状を有した前記装着バンドの外周面を構成し、前記被覆裏面は、前記第２形状を有した前記装着バンドの内周面を構成し、前記被覆表面は、所定の像を表示する表示部を備えてもよい。
【００１４】
上記構成によれば、被覆表面が表示部を有するため、表示部が視認され続けるように、すなわち、被覆表面が外表面となるように、装着バンドの使用者に装着を促すことができる。つまり、表示部は、装着バンドの使用者に、装着バンドを装着する上で好ましい装着バンドの向きを案内することができる。
【考案の効果】
【００１５】
本考案によれば、装着の容易性を高めることができる。
【図面の簡単な説明】
【００１６】
【図１】一実施形態におけるリストバンドにおいて板ばねが第１形状である場合のリストバンドの構造を示す斜視図。
【図２】板ばねが第１形状である場合の短辺方向に沿うリストバンドの断面図。
【図３】板ばねが第２形状である場合のリストバンドの構造を示す斜視図。
【図４】板ばねが第２形状である場合の短辺方向に沿うリストバンドの断面図。
【図５】リストバンドの作用を説明するための作用図。
【図６】リストバンドの作用を説明するための作用図。
【考案を実施するための形態】
【００１７】
図１から図６を参照して、装着バンドの一実施形態を説明する。以下では、装着バンドの一例であるリストバンドの構成、リストバンドの作用、および、リストバンドの製造方法を順に説明する。
【００１８】
［リストバンドの構成］
図１から図４を参照して、リストバンドの構成を説明する。図１は、リストバンドが備える板ばねが第１形状を有する場合のリストバンドを示している。図３は、板ばねが第１形状とは異なる第２形状を有する場合のリストバンドを示している。
【００１９】
図１が示すように、リストバンド１０は、板ばね１１と被覆部１２とを備えている。板ばね１１は、第１形状と第２形状との間で可逆的に変形する。被覆部１２は、板ばね１１を被覆し、板ばね１１の変形に追従して変形する。
【００２０】
第１形状において、板ばね１１は、下方に凸となる円弧状を有した短辺方向の断面形状を長辺方向に連続させて、当該長辺方向が直線方向である。すなわち、第１形状において、板ばね１１は、短辺方向に沿う断面において円弧状を有し、かつ、長辺方向に沿う直線状を有している。
【００２１】
第２形状において、板ばね１１は、直線状を有した短辺方向の断面形状を長辺方向に連続させて、当該長辺方向が円周方向である。すなわち、第２形状において、板ばね１１は、短辺方向に沿う断面において直線状を有し、かつ、長辺方向における第１端部１１ａと第２端部１１ｂとが第１形状よりも近づくように湾曲した環状（円輪状）を有する。
【００２２】
板ばね１１は、第１形状である場合に、長辺方向において板ばね１１を曲げる力が作用することによって、板ばね１１の各端部１１ａ，１１ｂを近づけるように曲がる。そして、板ばね１１は、第２形状に戻る復元力を解放し、これによって、長辺方向を直線方向から円周方向に変えて、第１形状から第２形状に変化する。
【００２３】
板ばね１１は、ステンレス板によって形成されている。なお、板ばね１１は、樹脂製の板によって形成されてもよい。
被覆部１２は、シリコーン樹脂などの弾性を有した樹脂製である。シリコーン樹脂は、耐熱性、耐寒性、耐薬品性、耐水性、耐オゾン性、および、板ばね１１との密着性に優れている。そのため、シリコーン樹脂は、被覆部１２を形成するための材料として好ましい。被覆部１２は、長辺方向における端部のいずれかに、非接触型のＩＣチップ１３を保持するチップ保持部１２ａを含んでいる。
【００２４】
被覆部１２は、板ばね１１の全体を被覆している。これにより、被覆部１２は、板ばね１１を外気から遮断している。そのため、板ばね１１が水分などに曝されないことによって、板ばね１１の腐食が抑えられる。被覆部１２において、長辺方向の大きさ、および、短辺方向の大きさは、各方向における板ばね１１の大きさとほぼ同大である。そのため、板ばね１１の全体が被覆部１２によって被覆されていても、板ばね１１の変形が、被覆部１２によって妨げられることが抑えられる。
【００２５】
板ばね１１が第１形状である場合に、長辺方向と短辺方向とによって特定される平面と対向する平面視において、チップ保持部１２ａは、板ばね１１の第１端部１１ａおよび第２端部１１ｂのいずれか一方と重なっている。本実施形態では、チップ保持部１２ａは、第１端部１１ａと重なり、第１端部１１ａに支持されている。これによって、チップ保持部１２ａに保持されたＩＣチップ１３が、板ばね１１によって支持される。そのため、ＩＣチップ１３が板ばね１１によって支持されない場合と比べて、ＩＣチップ１３に作用した外力が、ＩＣチップ１３を変形させることが抑えられる。
【００２６】
チップ保持部１２ａは、ＩＣチップ１３が保持される空間を、被覆部１２の内部に区画している。チップ保持部１２ａは、被覆部１２の外表面に開口したスリット１２ｂを有している。ＩＣチップ１３は、スリット１２ｂを通してチップ保持部１２ａ内に挿入され、また、チップ保持部１２ａから取り出される。チップ保持部１２ａに保持されたＩＣチップ１３は、ほぼ全体を被覆部１２に囲まれる。このように、チップ保持部１２ａがスリット１２ｂを有するため、リストバンド１０に対するＩＣチップ１３の着脱が可能である。
【００２７】
ＩＣチップ１３は、非接触通信が可能に構成されている。ＩＣチップ１３は、ＩＣチップ１３のリーダーと非接触通信を行うことが可能である。ＩＣチップ１３は、パッシブ型であるが、アクティブ型でもよい。ＩＣチップ１３がパッシブ型であることによって、ＩＣチップ１３がバッテリーを有しない分だけ、リストバンド１０を軽量化することができる。
【００２８】
図２は、板ばね１１が第１形状である場合の短辺方向に沿うリストバンド１０の断面構造を示している。
図２が示すように、板ばね１１は、紙面における下方に向けて凸となる円弧状を有している。そのため、紙面の上方から下方に向かう方向が、板ばね１１が第１形状であるときに、板ばね１１が張り出す方向である。被覆部１２は、板ばね１１の形状に追従した形状を有するため、被覆部１２の外形も、紙面における下方に向けて凸となる円弧状を有している。板ばね１１は、上に向いた凹曲面であるばね表面１１Ｆと、下に向いた凸曲面であるばね裏面１１Ｒとを有している。
【００２９】
板ばね１１が第１形状である場合に、板ばね１１の短辺方向に沿う断面において対向する一対の面のなかで、曲率半径が小さい面がばね表面１１Ｆであり、曲率半径が大きい面がばね裏面１１Ｒである。すなわち、板ばね１１において互いに対向する一対の面において、紙面の上方に位置する面がばね表面１１Ｆであり、紙面の下方に位置する面がばね裏面１１Ｒである。
【００３０】
上述したように、板ばね１１は、紙面の下方に向けて凸となる円弧状を有している。そのため、ばね裏面１１Ｒのなかで最も紙面の下方に突き出た部分、すなわち、短辺方向における中央部をばね表面１１Ｆに向けて押し上げる力を板ばね１１に加えることによって、板ばね１１を第１形状から第２形状に変形させることができる。あるいは、ばね表面１１Ｆのなかで最も紙面の上方に突き出た部分、すなわち、短辺方向における両端部をばね裏面１１Ｒに向けて押し下げる力を板ばね１１に加えることによって、板ばね１１を第１形状から第２形状に変形させることができる。なお、板ばね１１を第１形状から第２形状に変形させるための力は、長辺方向における板ばね１１の一部に与えられればよい。
【００３１】
被覆部１２は、上方に向いた凹曲面である被覆表面１２Ｆと、下方に向いた凸曲面である被覆裏面１２Ｒとを有している。曲率半径が小さい面が被覆表面１２Ｆであり、曲率半径が大きい面が被覆裏面１２Ｒである。被覆表面１２Ｆは、ばね表面１１Ｆに追従した面である。被覆裏面１２Ｒは、ばね裏面１１Ｒに追従した面である。
【００３２】
チップ保持部１２ａは、ばね表面１１Ｆ上に位置している（図１を参照）。そのため、板ばね１１が第１形状である場合に、チップ保持部１２ａは、板ばね１１が有する凹曲面上に、ＩＣチップ１３を収容することができる。それゆえに、チップ保持部がばね裏面１１Ｒ上に位置する場合と比べて、チップ保持部１２ａがＩＣチップ１３を安定に保持することができる。
【００３３】
リストバンド１０は、被覆表面１２Ｆに位置し、所定の像を表示する表示部１４をさらに備えている。本実施形態において、表示部１４は、インキを用いて形成された印刷部である。表示部１４が表示する像の形状は、任意に設定することが可能である。像の形状は、文字、数字、または、絵柄のいずれでもよいし、これらの組み合わせでもよい。像の形状は、例えば、意匠性を有した絵柄や、表面であることを示す文字である。
【００３４】
被覆表面１２Ｆに表示部１４が位置することによって、リストバンド１０の使用者は、リストバンド１０を手首に装着するときに、被覆裏面１２Ｒと自身の手首とを対向させやすい。これにより、使用者がリストバンド１０の一部を手首に衝突させることによって、使用者は、板ばね１１の復元力を解放させて、手首にリストバンド１０を装着する。つまり、表示部１４は、リストバンド１０の使用者に、リストバンド１０を装着する上で好ましいリストバンド１０の向きを案内することができる。
【００３５】
図３は、板ばね１１が第２形状である場合のリストバンド１０の形状を示している。なお、図３が示す形状は、リストバンド１０の形状における一例である。図３は、リストバンド１０の形状として、リストバンド１０の装着対象が存在しないために、リストバンド１０の外径が最も小さい場合のリストバンド１０の形状を示している。
【００３６】
図３が示すように、リストバンド１０の外形は、略円輪状を有している。リストバンド１０は、２重の環状を有している。なお、リストバンド１０は、リストバンド１０の装着対象に応じた変形が可能であり、略楕円環状を有することも可能であるし、また、１重の環状を有することも可能である。
【００３７】
チップ保持部１２ａは、第１端部１１ａよりも第２端部１１ｂを径方向の内側に配置した第２形状である場合に、板ばね１１の径方向において、板ばね１１よりも外側に位置している。これにより、板ばね１１が金属製であっても、ＩＣチップ１３とリーダーとの非接触通信に用いられる電波が、板ばね１１によって反射されたり吸収されたりし難い。そのため、ＩＣチップ１３とリーダーとの非接触通信が、環状を有した板ばね１１によって妨げられない。結果として、ＩＣチップ１３とリーダーとが、データの送受信を良好に行うことができる。
【００３８】
図４は、板ばね１１が第２形状である場合の短辺方向に沿うリストバンド１０の断面構造を示している。
図４が示すように、板ばね１１は、第２形状である場合に、短辺方向の断面形状が直線状を有している。そのため、被覆部１２の外形も、板ばね１１と同様、短辺方向の断面形状が直線状を有している。被覆表面１２Ｆは、第２形状を有したリストバンド１０の外周面を構成している。被覆裏面１２Ｒは、第２形状を有したリストバンド１０の内周面を構成している。
【００３９】
［リストバンドの作用］
図５および図６を参照して、リストバンド１０の作用を説明する。図５および図６では、使用者が右手を用いて左腕にリストバンド１０を装着する際のリストバンド１０の作用を説明する。なお、使用者は、以下に説明する方法と同様の方法で、左手を用いて右腕にリストバンド１０を装着することが可能である。
【００４０】
図５が示すように、使用者がリストバンド１０を左腕の手首Ｗに装着するときには、まず、使用者は、リストバンド１０を右手で把持し、リストバンド１０の一部を手首Ｗに配置する。このとき、使用者は、被覆裏面１２Ｒと手首Ｗとが対向するように、すなわち、使用者が表示部１４を視認できるように、手首Ｗにリストバンド１０の一部を配置する。そして、使用者が、手首Ｗにリストバンド１０の一部を衝突させる。これにより、板ばね１１では、長辺方向で曲がる力が作用し、第２形状に戻る復元力が解放される。
【００４１】
図６が示すように、板ばね１１の各端部１１ａ，１１ｂが、第１形状において板ばね１１が張り出す方向に向けて曲がる。これにより、リストバンド１０が使用者の手首Ｗに巻き付くことによって、リストバンド１０が使用者の左腕に装着される。このように、板ばね１１を有するリストバンド１０によれば、板ばね１１が第１形状である場合に、板ばね１１の一部に作用した復元力による板ばね１１の変形によって、リストバンド１０を手首Ｗに巻き付かせることができる。そのため、リストバンド１０の装着における容易性を高めることができる。
【００４２】
上述したように、チップ保持部１２ａは、被覆部１２のなかで、長辺方向における一方の端部に位置している。そのため、使用者は、手首Ｗにリストバンド１０を装着したときに、チップ保持部１２ａを、手のひらの下方に位置させることができる。ここで、手首Ｗのなかで、手のひらの下方に位置する部分では、他の部分よりも曲率半径が大きく、平坦に近い。そのため、チップ保持部１２ａが、手首Ｗのなかで手のひらの下方の部分に位置することによって、チップ保持部１２ａが手首Ｗにおける他の部分に位置する場合と比べて、チップ保持部１２ａに保持されたＩＣチップ１３に作用する曲げ応力を小さくすることができる。これにより、ＩＣチップ１３が損傷することが抑えられる。
【００４３】
また、上述したように、チップ保持部１２ａは、手のひらの下方に位置する。そのため、チップ保持部１２ａが手の甲の下方に位置する場合と比べて、使用者は、チップ保持部１２ａを使用者の外部に位置する物品にぶつけにくい。それゆえに、チップ保持部１２ａに保持されたＩＣチップ１３が損傷することが抑えられる。
【００４４】
［リストバンドの製造方法］
以下、リストバンド１０の製造方法における一例を説明する。
リストバンド１０を製造するときには、まず、金属板、例えばステンレス製の板をプレスによって打ち抜くことによって、長辺方向に沿って延びる板ばね１１を作成する。次いで、被覆部１２を成型するための金型として、下金型と上金型とを準備する。下金型、および、上金型は、長辺方向および短辺方向において、板ばね１１よりも一回り大きい。上金型は、チップ保持部１２ａが区画する空間を形成するための形成部を有する。そして、下金型にシリコーン樹脂を塗布した後に、シリコーン樹脂の上に板ばね１１を配置する。その後、板ばね１１を覆うようにシリコーン樹脂を塗布する。そして、下金型の上に上金型を載せ、この状態で、シリコーン樹脂を硬化させる。硬化したシリコーン樹脂によって覆われた板ばね１１を金型から取り出した後、被覆部１２のなかで、所望の形状よりも外側に飛び出た部分であるばりを取り除く。これにより、リストバンド１０を得ることができる。
【００４５】
以上説明したように、一実施形態のリストバンドによれば、以下に記載の効果を得ることができる。
（１）板ばね１１を有するリストバンド１０によれば、板ばね１１が第１形状である場合に、板ばね１１の復元力による板ばね１１の変形によって、リストバンド１０を使用者の手首Ｗに巻き付かせることができる。そのため、リストバンド１０の装着における容易性を高めることができる。
【００４６】
（２）ＩＣチップ１３とリーダーとの非接触通信が、環状を有した板ばね１１によって妨げられない。そのため、ＩＣチップ１３とリーダーとが、データの送受信を良好に行うことができる。
【００４７】
（３）チップ保持部１２ａに保持されたＩＣチップ１３が、板ばね１１によって支持される。そのため、ＩＣチップ１３が板ばね１１によって支持されない場合と比べて、ＩＣチップ１３に作用した外力が、ＩＣチップ１３を損傷させることが抑えられる。
【００４８】
（４）板ばね１１が第１形状である場合に、チップ保持部１２ａは、板ばね１１が有する円弧面によって区画される空間に、ＩＣチップ１３を保持するための空間を区画することができる。そのため、チップ保持部１２ａが、ＩＣチップ１３を安定に保持することができる。
【００４９】
（５）表示部１４は、リストバンド１０の使用者に、リストバンド１０を装着する上で好ましいリストバンド１０の向きを案内することができる。
【００５０】
なお、上述した実施形態は、以下のように変更して実施することができる。
［被覆部１２］
・被覆部１２は、シリコーン樹脂以外の合成樹脂から形成されてもよい。この場合であっても、板ばね１１が被覆部１２によって封止されている以上は、板ばね１１の腐食が、被覆部１２によって抑えられる。
【００５１】
［チップ保持部１２ａ］
・チップ保持部１２ａは、スリット１２ｂを有しなくてもよい。この場合には、ＩＣチップ１３がチップ保持部１２ａによって保持された後に、スリット１２ｂが塞がれてもよいし、チップ保持部１２ａが形成されるときに、ＩＣチップ１３がチップ保持部１２ａによって封止されてもよい。いずれの場合であっても、ＩＣチップ１３がチップ保持部１２ａによって封止されるため、ＩＣチップ１３の腐食は抑えられる。
【００５２】
・板ばね１１が第１形状である場合に、チップ保持部１２ａはばね裏面１１Ｒ上に位置してもよい。この場合であっても、ＩＣチップ１３が板ばね１１によって支持されるため、上述した（３）に準じた効果を得ることはできる。
【００５３】
・チップ保持部１２ａは、被覆部１２の長辺方向におけるいずれかの端部に位置していれば、チップ保持部１２ａの全体が長辺方向において板ばね１１よりも外側に位置してもよいし、チップ保持部１２ａの一部が長辺方向において板ばね１１よりも外側に位置してもよい。この場合であっても、チップ保持部１２ａが被覆部１２の端部に位置するため、上述した（２）に準じた効果を得ることはできる。
【００５４】
［表示部１４］
・表示部１４は、印刷部に限らず、例えば、被覆表面１２Ｆにおいて窪む窪みでもよいし、被覆表面１２Ｆにおいて突出する凸部でもよい。いずれの場合であっても、リストバンド１０の使用者が表示部１４に気づくことによって、上述した（５）に準じた効果を得ることはできる。
【００５５】
［その他］
・装着バンドは、リストバンドに限らず、足に装着されるレッグバンドにも変更することも可能であって、人体に装着される装着バンドであればよい。
【符号の説明】
【００５６】
１０…リストバンド、１１…板ばね、１１ａ…第１端部、１１ｂ…第２端部、１１Ｆ…ばね表面、１１Ｒ…ばね裏面、１２…被覆部、１２ａ…チップ保持部、１２ｂ…スリット、１２Ｆ…被覆表面、１２Ｒ…被覆裏面、１３…ＩＣチップ、１４…表示部。
【図１】
0003218643.tif 000003
【図２】
0003218643.tif 000004
【図３】
0003218643.tif 000005
【図４】
0003218643.tif 000006
【図５】
0003218643.tif 000007
【図６】
0003218643.tif 000008